(57)【要約】【課題】従来、ヒトから採血を行う場合は、血管位置を確認するために駆血帯を被採血者に装着して血管を怒張させていたが、これは肉体的な苦痛を強いるものであった。【解決手段】ヒトの皮膚直下の血管の像を得て採血針の穿刺位置を確認するために、光を皮膚表面に照射して、一旦体内に侵入して血管より深くまで入る込んだ光の反射光の強度の空間分布を観察する。このとき皮膚表面で直接反射する光や体内に侵入しても血管に到達する前に反射して体外から出て行く光の影響を低減することを特徴とする。【選択図】図６
2004237051.tif 000002
【特許請求の範囲】
【請求項１】
少なくとも６００から１２００ｎｍの波長成分を含み、かつ少なくとも一つの光源から発せられた光を人体に照射したときの反射光から照射した部位近傍の皮膚直下の血管像を得る血管可視化方法であって、特に反射してきた光の内、皮膚表面での直接反射光および人体に侵入するものの皮膚直下の血管まで到達せず反射して再び体外へと出射してくる光を排除し、人体に侵入して皮膚直下の血管より深部まで到達してから反射して再び体外に出射してくる光の強度の空間分布を撮像素子によって捉え、これを表示装置に表示することを特徴とする血管可視化方法。
【請求項２】
少なくとも６００から１２００ｎｍの波長成分を含む光を放射する少なくとも一つの光源を構成要素として含み、当該光源から放射される波長の光をほとんど透過しないような材料で少なくとも表面の一部が構成される直接反射光遮光装置であって、特に当該直接反射光遮光装置を構成する一つの面を人体の皮膚表面と接触させ、光源から光を放射したときにその大部分は皮膚表面に至るようにし、このとき皮膚表面から直接反射する光および人体に侵入するものの皮膚直下の血管まで到達せず反射して再び体外へと出射してくる光の少なくとも一部を直接反射光遮光装置の皮膚と接している面、あるいは直接反射光遮光装置と皮膚に囲まれる空間によって遮り、再び体外に放射されることの無いようにし、一方光源から放射され皮膚表面を経て人体に侵入し、皮膚直下の血管より深部まで到達してから反射して再び体外に出射してくる光の大部分は遮ることなく体外に放射させることを特徴とする直接反射光遮光装置。
【請求項３】
少なくとも６００から１２００ｎｍの波長成分を含む光を放射する光源から、当該光源から放射される波長の光をほとんど透過しないような材料で少なくとも表面一部が構成される直接反射光遮光装置に光を導き、当該直接反射光遮光装置を構成する一つの面を人体の皮膚表面と接触させたときに、光源から放射された光の大部分は皮膚表面に至るようにし、このとき皮膚表面から直接反射する光および人体に侵入するものの皮膚直下の血管まで到達せず反射して再び体外へと出射してくる光の少なくとも一部を直接反射光遮光装置の皮膚と接している面、あるいは直接反射光遮光装置と皮膚に囲まれる空間によって遮り、再び体外に放射されることの無いようにし、一方光源から放射され皮膚表面を経て人体に侵入し、皮膚直下の血管より深部まで到達してから反射して再び体外に出射してくる光の大部分は遮ることなく体外に放射させることを特徴とする直接反射光遮光装置。
【請求項４】
前記請求項３において、特に光源から直接反射光遮光装置へと光を導くために光ファイバを用いることを特徴とする直接反射光遮光装置。
【請求項５】
前記請求項２または３に記載の直接反射光遮光装置の皮膚と接する面の少なくとも一部は、光源から放射される波長の光を吸収するような材料で表面が覆われていることを特徴とする直接反射光遮光装置。
【請求項６】
前記請求項２または３に記載の直接反射光遮光装置により、体外へと反射放射してきた光の強度の空間分布を撮像素子によって捉え、これを表示装置に表示することで皮下の血管像を得ることを特徴とする血管可視化装置。
【請求項７】
前記請求項６に記載の撮像素子に入射する光の波長範囲を透過し、かつ少なくとも当該波長範囲よりも短波長側の光を吸収するようなフィルタを当該撮像素子の光の入射する部位の前に配置することを特徴とする血管可視化装置。
【請求項８】
前記請求項６に記載の撮像素子に入射する光の波長範囲を透過し、かつ当該波長範囲以外の光を吸収するようなフィルタを当該撮像素子の光の入射する部位の前に配置することを特徴とする血管可視化装置。
【請求項９】
前記請求項１に記載の血管可視化方法により血管位置を確認しながら注射器と一体となった採血針の穿刺位置を決定し、針を皮下の血管へと導き、採血を行うことを特徴とする採血方法。
【請求項１０】
前記請求項２または３に記載の直接反射光遮光装置と採血針を装備した注射器が一体となっていることを特徴とする採血装置。
【請求項１１】
前記請求項１０に記載の注射器が直接反射光遮光装置を固定したときに当該直接反射光遮光装置に対して可動であることを特徴とする採血装置。
【請求項１２】
前記請求項１に記載の血管可視化方法により血管位置を確認しながら採血針の穿刺位置を決定し、針を皮下の血管へと導き、当該採血針と一体となった血液分析装置上に血液を導くことを特徴とする採血方法。
【請求項１３】
前記請求項９または１２に記載の採血方法において、主に採血針に光を照射し、血管と針の位置関係を明瞭にすることを特徴とする採血方法。
【請求項１４】
前記請求項６に記載の血管可視化装置と、採血針と一体となった血液分析装置を少なくとも構成要素と含むことを特徴とする採血装置。
【請求項１５】
前記請求項１４において、採血針を照射する光源を構成要素として含むことを特徴とする採血装置。
【請求項１６】
前記請求項１５において、採血針を照射する光源は、採血針と一体となった血液分析装置を支持するホルダと一体となっていることを特徴とする採血装置。
【請求項１７】
前記請求項１４において、血管可視化装置を構成する直接反射光遮光装置は、特に採血針と一体となった血液分析装置を支持するホルダと一体となっていることを特徴とする採血装置。
【請求項１８】
前記請求項１４において、血管可視化装置を構成する撮像素子もしくは撮像素子に光を導く光ファイバの一端が、特に採血針と一体となった血液分析装置を支持するホルダと一体となっていることを特徴とする採血装置。
【発明の詳細な説明】
【０００１】
【発明の属する技術分野】
本発明はヒトの皮下にある血管から中空の針を介して体外へと血液を採取する際の血管可視化方法ならびに装置に関する。
【０００２】
【従来の技術】
従来、注射法による静脈血の採取は、駆血帯と呼ばれる弾力性を有するゴム状の紐を腕に巻きつけ、一時的に血流を制限したときに皮膚上に浮き出た静脈を狙い、注射針を当該静脈に穿刺し、その後に減圧吸引して血液を注射筒に引き込んでいた。
【０００３】
また近年、微小な採血用針を備え、微細な溝流路や種々の分析器、分析装置を配置した数ｍｍから数ｃｍ四方のチップ状血液分析装置が開発されている。（特開２００１−２５８８６８）このようなチップ状の血液分析装置の針を被験者の皮膚に穿刺し、皮下の血管から血液を採取してこれをチップ上に引き込み、そこで血液中の種々の生化学物質（ナトリウム、カリウムイオン、グルコース、尿素窒素、クレアチニンなど）の濃度を分析する。当該チップは人々が自宅で用い、健康管理に役立てることを想定して開発されたものである。
【０００４】
【発明が解決しようとする課題】
通常の血液採取時に用いられる駆血帯は、上でも述べたように皮膚上に血管を浮き出させて、採血を行う人が注射針を穿刺する部位を特定するために行っている。この駆血帯を腕に巻きつけ、圧迫することは注射針を穿刺したときの疼痛とともに被血液採取者に及ぼす苦痛の一つである。
【０００５】
また、チップ状の血液分析装置においては、まず、できるだけ穿刺時の疼痛を抑制するために針の径が細くなっている（例えば外径１００μｍ、内径５０μｍ）ために、剛性（挫屈強度）が非常に低くなっている。このような強度低下を実効的に緩和するために、針の全長は短くすることが望まれ、またこのような要望は採取時に針内部に残留し、分析に用いられない血液量を少なくするという観点からも重要である。このように針の長さが短くなると、チップ自体も採血時に皮膚近傍まで近寄ることになり、当該チップは被験者自らが採血を行うことを想定しているので、血管を肉眼で見ることが困難となるという問題があった。
【０００６】
また特願２００１−３１９９９２に示されているように、針を皮膚に穿刺する際に、痛みを緩和する目的で針近傍の皮膚の雰囲気を減圧として皮膚を盛り上げ、そのとき針を自動的に皮膚に穿刺させる場合には、特に血管を見ることが難しくなり、場合によっては針を血管へと導くことができずに採血ができないという問題があった。
【０００７】
上述のように、通常の注射による採血時の駆血帯による不快感の抑制や、チップ状の血液分析装置を用いたときの採血者である被験者が血管位置を確認しながら確実に採血するためには、針を皮膚に穿刺する際に血管位置を何らかの手法で監視しなければならない。
【０００８】
このような目的でこれまでいくつかの血管可視化の手法が公知となっている。これらの公知例の多くは、体外から体内へと光を導き、その反射光や透過光から血管情報を得るというものである。例えば比較的厚さが小さい指や手の甲などに波長が７００から１２００ｎｍの近赤外光を照射し、その裏側にＣＣＤ（Ｃｈａｒｇｅ  Ｃｏｕｐｌｅｄ  Ｄｅｖｉｃｅ）のような撮像素子を配置して体内を透過してくる光の強度の空間分布を観察する。（特開平８−１６４１２４）このような近赤外光は、比較的人体を構成する水や血液中のヘモグロビンなどによる吸収係数が小さく透過しやすいため用いられることが多い。また血管部を透過してくる光は血液中の水やヘモグロビン濃度が他の部位よりも高いために透過してくる光は吸収により強度が弱くなっているために像は暗くなるが、その他の部分を透過してくる光は比較的吸収されずに強度が強いので明るい像が得られる。したがって血管像が得られることになる。
【０００９】
上で述べたような近赤外光の透過による血管像の導出は、実際には光源の強度の制約から指や手の甲などの比較的肉厚が薄い部分でのみしか用いることができない。特によく採血時に用いられる上腕や前腕部では十分な強度の光を透過させることは難しい。そこで光を人体に照射して一旦侵入してから再度照射表面から反射してくる光を撮像素子によって捉え血管像を得るという方法も公知となっている。（特開平８−１６４１２５）このような反射光を用いた場合、直接皮膚表面で反射してくる光の強度が強く、一旦人体に入り込んでから再度人体から反射して出てくる光強度は比較的弱いので、血管情報を含む光（一旦人体に入り込んでから反射してきた光）のみを捉えるために、本公知例の場合光を照射する皮膚表面に液体を塗布して直接反射光を低減するようにしている。また４００から６００ｎｍと６００から８００ｎｍと波長の異なる２種類の光を皮膚に照射して、前者が後者に比較して一旦体内に侵入してから再度反射してくる光の成分が少ないことを利用し、両者で得られた画像を引き算して血管像を得るという方法も公知になっている。（特開平８−１６４１２３）
【００１０】
以上述べたように光を用いて血管像を得る場合に、透過法では適用可能な部位が限られるという問題があった。また反射法を用いた場合には皮膚表面から直接反射してくる光を抑制するために皮膚表面に液体を塗布するというような煩雑な手間を要したり、２種類の光源、フィルター、ダイクロックミラー、画像解析機構などから構成される高価、複雑な装置が必要されるという問題があった。
【００１１】
本発明が解決すべき課題は、被採血者に肉体的な負荷をかけることなく皮下の血管位置を安価な装置を用い、的確に把握する手段を提供することにある。
【００１２】
【課題を解決するための手段】
上述したように光を体内へと導き血管像を得る場合、像を得る部位を選ばない反射法を用いるほうが望ましい。図１にはヒトの前腕部１０１にＬＥＤ（Ｌｉｇｈｔ  Ｅｍｉｔｔｉｎｇ  Ｄｉｏｄｅ）１０２を光源として照射し、そのとき反射してくる光をＣＣＤ（Ｃｈａｒｇｅ  Ｃｏｕｐｌｅｄ  Ｄｅｖｉｃｅ）１０４などの撮像素子によって捉え、その像をモニタ１０５に表示するシステムを示している。このとき用いる光の波長は、比較的皮膚の色素、血中ヘモグロビン、水などの皮膚や血管を構成する化合物に由来する吸収係数が低い６００から１２００ｎｍのものを用いる。図２にはこのときの体内での光の伝播の様子を模式的に示している。ここで既述の語句と同一のものは同じ符号を用いている。（以下、同様）このように照射された光は皮膚表面で反射した光２０４と一旦体内へと侵入して拡散、反射しながら再度体外へと反射してくる光２０５とがあり、両者がＣＣＤ１０４によって捉えられる。この２０５の光のように皮膚表面近傍の血管（多くは静脈）下に一旦浸透してから再度皮膚外へと反射してくる光に血管情報が含まれ、血管部分では水、ヘモグロビンに由来する光吸収がその他の部分よりも大きいために、血管像は黒くモニタ上に浮き上がる。しかしながら実際には直接反射光２０４の強度が大きいために２０５のような光の情報はこれに重畳して隠れてしまい、モニタ上には血管像は現れない。
【００１３】
そこで本発明者らは簡易かつ安価にこの直接光の影響を低減するために、図３に示すような直接反射光遮光装置３０１を用い直接反射光を抑制することを試みた。この装置は貫通穴３０２にＬＥＤ１０２が挿入されており、これを図４に示すように血管観察部位近傍の皮膚表面に押し当てる。このとき直接反射光遮光装置３０１の少なくとも表面はＬＥＤ１０２が放射する光の波長に対して透過性を有さないような材料を用いることが望ましい。図４においてＬＥＤ１０２を照射すると、図２の場合と同様に光は一旦体内へと浸透する成分と皮膚表面で直接反射する成分とに分かれるが、このような装置３０１を用いた場合には装置自身が、直接反射光２０４を遮光するためにＣＣＤ１０４に捉えられることは無い。また、一旦体内に浸透するものの皮膚表面直下の血管下まで到達せずに反射してしまう光４０１は同様に装置自身に遮光され、体外に出ることは無い。結局体外へと放射される光は一旦体内へと浸透してから皮膚表面直下の血管下まで到達してから再度体外へと出てくるもの２０５であり、この光はＣＣＤカメラ１０４に捉えられ、血管部は水、ヘモグロビン等に由来する吸収のため光強度が弱く、それ以外の部位は比較的光強度が強いためにモニタ１０５上には血管像が暗く浮き出ることになる。そしてこの血管像を見ながら注射針を血管部へと導けば、容易に穿刺、採血することができる。
【００１４】
実際の血管像はＬＥＤの放射光強度、ＣＣＤカメラレンズの絞り、当該ＣＣＤの感度およびゲインに加えて、図５に示す直接反射光遮光装置３０１の直接光遮光領域５０１の長さを適切に設定することで良好なものを得ることができる。特にこの直接光遮光領域長は上でも述べたように、皮膚表面で直接反射する光と一旦体内に浸透するものの皮膚表面直下の血管下まで到達せずに反射し、再度体外へと放射される光を遮蔽して、皮膚表面直下の血管下まで到達してから再度体外へと出てくる光は遮蔽しないように設定すれば良い。これらの直接反射光等の遮蔽すべき光は、直接反射光遮光装置における直接光遮光領域５０１を含む皮膚と接する面（ＬＥＤの貫通穴を除く）にＬＥＤが放射する光を吸収するようなフィルタ膜を貼っておけばより確実に除去することができる。
【００１５】
【発明の実施の形態】
図６には本発明の実施形態の一例を示す。図４と同様にＬＥＤ１０２を取り付けた直接反射光遮光装置３０１をヒトの前腕部１０１に固定バンド６０１により取り付け、当該ＬＥＤを照射したときにＣＣＤカメラ１０４によって捉えられる血管像をモニタ１０５に映し出す。図示はしていないが、より鮮明な血管像を得るためにＣＣＤカメラ１０４により得られた画像をソフトウエア的あるいはハードウエア的に処理してからモニタ１０５上に表示しても良い。これにより血管位置を確認しながら採血用の注射器６０２を血管近傍に導き、注射針６０３を皮膚に穿刺し血管内に到達させ採血を行う。
【００１６】
【実施例】
〔第一の実施例〕
図６に示した直接反射光遮光装置を用いた血管観察装置によりヒトの前腕内側の静脈血管を観察しながら注射針を当該血管に導き採血することを試みた。まず、ＬＥＤとしては放射中心波長８５０ｎｍ、半値幅４０ｎｍの近赤外光を放射するものを用い、また図示はしていないがＣＣＤカメラのレンズ前に８００ｎｍ以下の波長の光をカットし、それ以上の波長の光を透過させるフィルタを取り付けた。このような波長のＬＥＤを選択した理由は、まず上でも述べたように７００から１２００ｎｍ程度の波長の光は体内を透過しやすいこと、通常の安価なＣＣＤ素子は５００から６００ｎｍ程度の波長に最も高い感度を有し、波長の増加に伴い感度が減少していくためなどである。またカメラにフィルターを取り付けることによって、室内の蛍光灯下においても可視光の影響を受けることなく血管観察することが可能となり、特に観察部位周辺を暗くする必要が無くなる。
【００１７】
このようにして血管像を図６に示すようにモニタ１０５に映し出し、適当な血管を標的にして注射器６０２の注射針６０３を当該血管へと皮膚を穿刺して導く。このとき用いた針のサイズは２３ゲージであり、このようにして血管内に針を導いてから注射器の筒内を陰圧として静脈血を筒内へと約５ｃｃ採取することができた。
【００１８】
また図７に示すような注射器とＬＥＤを取り付けた直接反射光遮光装置３０１を一体とした装置を用いて、同様に血管観察を行いながら採血することを試みた。同図において、直接反射光遮光装置３０１には当該装置の小型化のためにチップＬＥＤ７０１（放射中心波長：８６０ｎｍ、半値幅：４０ｎｍ）を用いており、また注射筒７０２とガイドレール７０４を介して接続されており、当該注射筒は直接反射光遮光装置を固定しているとガイドレールに沿って（図中の矢印方向に）移動することができる。またここで用いた注射針６０３は２３ゲージのものを用いた。
【００１９】
図８（Ａ）に示す断面図のように、図７に示した注射器とＬＥＤを取り付けた直接反射光遮光装置を一体とした装置をヒトの前腕部の皮膚表面８０１に設置する。このとき注射器の先端の針６０３はまだ皮膚に触れないような位置にセットしておき、この状態でＬＥＤ７０１を点灯してＣＣＤカメラ１０４によって血管２０３の像と針６０３の像を捉え、図には示していないがモニタ上にこれらを示して両者の位置関係から針が血管を穿刺できるような位置に注射器とＬＥＤを取り付けた直接反射光遮光装置一体とした装置を皮膚８０１上で移動させる。このようにしてから同図（Ｂ）に示すように、ガイドレール７０４に沿って注射器を皮膚側へと押し出し、針６０３を標的である血管に穿刺し、血管内へと導いた後にシリンジ７０３を引いて注射筒７０２内に血液を吸引採取することができた。
【００２０】
従来は駆血帯を用い血管を怒張させて採血していたが、このように本発明の血管の可視化装置を用いることで駆血帯を用いることなく採血することが可能となった。また以上の例ではＬＥＤ素子を皮膚近傍の直接反射光遮光装置内に配置して照射していたが、ＬＥＤ等の照明装置を皮膚の遠隔に配置し、そこから光ファイバ等で直接反射光遮光装置内へと接続して皮膚表面に光を照射しても良い。
【００２１】
〔第二の実施例〕
図９に示すようなチップ状の血液分析装置上に無痛針９０１（外径：１００μｍ、内径：６０μｍ）を介して血液を導入することを試みた。当該チップは２枚のポリカーボネート基板を張り合わせ構成されており、その中には血液の流路９０２、血液中のナトリウムイオン、カリウムイオン、グルコース、尿素窒素濃度を電気化学的にセンシングするセンサ電極９０３、およびセンサ出力の電気信号を出力する電極パッド９０４等から構成される。チップサイズは２ｃｍ角である。
【００２２】
次に図１０（Ａ）に示すようにスライダ１００１にチップ１００２を載せて、これをホルダ本体１００３にはめ込み、このホルダ本体と一体となっているシリンダ１００４内にチップ先端の無痛針９０１がセットされるようにする。またこれまでの実施例と同様に直接反射光遮光装置３０１をヒトの上腕から前腕部の内側に設置して皮膚直下の血管像とともに上述のホルダにセットしたチップ先端の無痛針９０１との位置関係をＣＣＤカメラ１０４によって捉え、図中には示していないがモニタ上でこれを確認する。このとき皮膚に放射する光の光源には図６と同じＬＥＤを用いている。この両者の位置関係から、チップが搭載されている採血用ホルダの位置を調整し、無痛針を血管直上へと導きシリンダ１００４を皮膚表面と接触させる。その後にシリンダ内排気ホース１００５を介して排気し、シリンダ１００４内を減圧とすると皮膚はシリンダ１００４に吸い付くとともにシリンダ内へと撓む。すると無痛針９０１が皮膚を穿刺して自動的に体内へと侵入する。このとき無痛針が血管まで到達していれば、採血用吸引ホース１００６を介してチップ内流路を減圧とし、血管から血液をチップ内へと導くことができる。もし血管まで針が到達していなければ同図（Ｂ）に示すようにスライダ１００１を皮膚側へと押し、スポンジ１００７を撓ませながら無痛針９０１をより深く体内へと導き血管まで到達させた後に上述と同様にして血液をチップ上に導く。
【００２３】
以上のような手順により採血を試みたところチップ上に約４μｌの血液を導入することができた。またこのようなチップ状の血液分析装置に血液を血管から導入する際には、そのチップサイズが比較的小さくまた針の長さが通常の注射法における採血針よりも短いために、ＣＣＤカメラで無痛針および血管像を観察する空間的余裕がない場合がある。またモニタに映し出される血管像は暗いので、その上に針が重なると、針が明瞭に確認できず、血管像と針の位置関係が確認できないことがある。このような場合、図１１に示すようにシリンダ１０４にチップＬＥＤ７０１を取り付けて、これを点灯して無痛針９０１に光を照射して針が明瞭に見えるようにする。またこのようなチップＬＥＤの代わりに光ファイバを用い、光を導いて来て針に照射してもよい。さらに血管像と針の位置関係を観察するためにＣＣＤカメラ自体は遠隔に設置しておき、そこから数ｍｍ径程度の大きさのファイバスコープ１１０１を皮膚近傍まで持って行き、これらの像を観察してもよい。
【００２４】
また図１２には直接反射光遮光装置３０１をホルダ本体１００３に取り付けた場合について示している。またこれに加えてファイバスコープ１１０１もホルダ本体に取り付け血管像と針の位置関係を観察できるようになっている。シリンダ１００４に取り付けてある針照明用のチップＬＥＤ７０１は針の見え具合から放射強度を調節すればよい。このようにして血管像を見ながらホルダの位置を血管上に針が位置するように設置した後に、上で述べた手順で採血を行ったところ、チップ上に約４μｌの血液を導くことができた。
【００２５】
次に図１３には無痛針９０１の周りを蔽っているシリンダ１００４の先端が斜めにカットしてある場合について示している。この場合は図１０とは異なり無痛針が皮膚表面に対して垂直に刺さるのではなく、斜めに刺さるという違いがある。ここではカット角を４５°とし、これまでと同様な手順で血管像と針の位置関係を確認して針が血管に刺さるような位置に血管を設置してから採血を行った。この結果約４μｌの血液をチップ上の流路に導くことができた。またこのように針を皮膚表面に対し斜めに穿刺する場合においても、垂直に穿刺した場合と同様に直接反射光遮光装置３０１をホルダ本体１００３に取り付けても良い。この場合、図７に示した注射器と直接反射光遮光装置を一体とした場合と同様にホルダを直接反射光遮光装置に対して可動としても良い。さらに図１３においてＣＣＤ１０４の代わりにファイバスコープ等で血管像と針を観察しても良く、やはりこのファイバスコープをホルダ本体と一体化して装置をコンパクトにしても良い。
【００２６】
【発明の効果】
以上説明したとおり、通常の注射法により採血を行う場合に本発明の血管可視化方法ならびに装置を用いることで、従来のように駆血帯を用いることなく血管位置を確認し、確実に採血針を血管に導き、採血を行うことが可能となった。これにより被採血者に駆血帯装着時の肉体的な苦痛を及ぼすことなく採血できる。また無痛針を装備したチップ血液分析装置上にも、当該無痛針の位置と血管の位置を確認しながら採血を行うことで、より確実に採血を行うことができるようになった。したがって、家庭で各人が本発明により簡単に採血を行い、当該血液の分析を行うことで、健康管理ができる。
【図面の簡単な説明】
【図１】光反射法による血管像可視化装置を説明する図である。
【図２】光を人体に投射したときの体内での光の伝播の様子を説明する図である。
【図３】本発明の直接反射光遮光装置の一例を説明する図である。
【図４】本発明の直接反射光遮光装置を用いヒトの血管像を観察したときの様子を示す図である。
【図５】本発明の直接反射光遮光装置の側面図を示したものである。
【図６】本発明の直接反射光遮光装置を用いヒトの血管像を観察しながら注射法により採血を行う様子を示す図である。
【図７】本発明の直接反射光遮光装置と従来の注射器を一体化した装置を示す図である。
【図８】図７で示した装置を用いて採血を行う様子を示す図である。
【図９】チップ状血液分析装置を示す図である
【図１０】図９に示したチップ状血液分析装置上に本発明の直接反射光遮光装置を用い、血液を導入する手順を説明する図である。
【図１１】図９に示したチップ状血液分析装置上に本発明の直接反射光遮光装置を用い、血液を導入する様子を説明する図である。
【図１２】図９に示したチップ状血液分析装置上に本発明の直接反射光遮光装置を用い、血液を導入する様子を説明する図である。
【図１３】図９に示したチップ状血液分析装置上に本発明の直接反射光遮光装置を用い、血液を導入する様子を説明する図である。
【符号の説明】
１０１  ヒトの前腕部
１０２  ＬＥＤ
１０３  電源
１０４  ＣＣＤカメラ
１０５  モニタ
１０６  腕の像
２０１  皮膚
２０２  骨
２０３  血管
２０４  直接反射光
２０５  内部浸透後反射してきた光
３０１  直接反射光遮光装置
３０２  貫通穴
４０１  血管下まで到達せず反射する光
４０２  血管像
４０３  直接反射光遮光装置の像
５０１  直接光遮蔽領域
６０１  固定バンド
６０２  注射器
６０３  注射針
７０１  チップＬＥＤ
７０２  注射筒
７０３  シリンジ
７０４  ガイドレール
８０１  皮膚表面
９０１  無痛針
９０２  流路
９０３  センサ電極
９０４  電極パッド
１００１  スライダ
１００２  チップ
１００３  ホルダ本体
１００４  シリンダ
１００５  シリンダ内排気ホース
１００６  採血用吸引ホース
１００７  スポンジ
１１０１  ファイバスコープ
【図１】
2004237051.tif 000003
【図２】
2004237051.tif 000004
【図３】
2004237051.tif 000005
【図４】
2004237051.tif 000006
【図５】
2004237051.tif 000007
【図６】
2004237051.tif 000008
【図７】
2004237051.tif 000009
【図８】
2004237051.tif 000010
【図９】
2004237051.tif 000011
【図１０】
2004237051.tif 000012
【図１１】
2004237051.tif 000013
【図１２】
2004237051.tif 000014
【図１３】
2004237051.tif 000015